(57)【特許請求の範囲】
【請求項１】
プレイヤード及びバジネットの組み合わせであって、
プレイヤードが、フレーム構造と、前記フレーム構造によって支持されている上部境界部材と、底部部材と、前記上部境界部材と前記底部部材との間に延在している側面とを備えており、
バジネットが、底部支持面を有しており、
支持部材が、前記バジネットを前記上部境界部材に対して揺動動作で振り子振動させることができる一方、前記バジネットの振り子振動の間中に前記底部支持面を水平方向に保つことができ、前記バジネットが、前記支持部材によって前記プレイヤードの前記上部境界部材から分離可能に支持されており、
前記支持部材それぞれが、前記上部境界部材上に支持されている連結具取付け台に連結されており、
前記支持部材のうち第１の支持部材が、前記バジネットの振り子振動動作を駆動するための駆動機構に作動可能に連結されており、前記駆動機構が、前記連結具取付け台のうち第１の連結具取付け台に収容されており、
前記支持部材のうち前記第１の支持部材以外の前記支持部材それぞれが、前記連結具取付け台のうち対応する連結具取付け台と前記バジネットとを相互連結している可撓性支持部材であることを特徴とするプレイヤード及びバジネットの組み合わせ。
【請求項２】
前記バジネットが、上部支持チューブと、前記上部支持チューブから略垂直方向に延在しているコーナー部品とを含んでおり、
前記コーナー部品それぞれが、前記コーナー部品を対応する前記上部支持チューブに接続するための取付け部材と共に形成されていることを特徴とする請求項１に記載のプレイヤード及びバジネットの組み合わせ。
【請求項３】
剛体の駆動部材が、前記連結具取付け台のうち前記第１の連結具取付け台を前記バジネットから分離すると共に前記上部境界部材に保持するように、前記駆動機構に分離可能に連結されていることを特徴とする請求項１又は２に記載のプレイヤード及びバジネットの組み合わせ。
【請求項４】
前記連結具取付け台それぞれが、前記上部境界部材を内蔵する大きさとされるチャネルを形成しているＵ字状筐体と共に形成されていることを特徴とする請求項１〜３のいずれか一項に記載のプレイヤード及びバジネットの組み合わせ。
【請求項５】
上部境界を有しているプレイヤードに取り付けるためのバジネットであって、
前記バジネットが、
フレーム構造と、
前記フレーム構造から支持されている底部支持部材と、
前記上部境界に分離可能に支持可能な３つの連結具取付け台と、
前記上部境界に取り付けられるように構成されている駆動機構であって、前記上部境界に取り付けられた場合に前記バジネットに揺動動作で振り子振動させるように動作する前記駆動機構と、
前記駆動機構と前記フレーム構造とを相互に連結している第１の支持部材と、
前記プレイヤードの前記上部境界に取り付けられた場合に前記バジネットを支持することによって、前記底部支持部材が前記バジネットの振り子振動の間中に水平方向に保つように、前記連結具取付け台それぞれを前記フレーム構造と相互連結している第２の支持部材と、
を備えており、
前記第１の支持部材が、前記駆動機構に連結されている剛体の支持部材であり、
前記第２の支持部材のうち一の支持部材が、可撓性支持部材であることを特徴とするバジネット。
【請求項６】
前記駆動機構が、さらなる連結具取付け台の内部に収容されていることを特徴とする請求項５に記載のバジネット。
【請求項７】
前記剛体の支持部材が、前記バジネットを前記さらなる連結具取付け台から分離すると共に前記バジネットを連結しないで前記さらなる連結具取付け台を前記上部境界部材に保持するように、前記駆動機構に分離可能に連結されていることを特徴とする請求項６に記載のバジネット。
【請求項８】
前記底部支持部材が、第１の区分及び第２の区分と共に形成されている底部板を含んでおり、
前記第１の区分が、前記底部板が２つの相違する大きさの前記底部支持部材に対応する大きさになるように、前記第２の区分に対して相対的に移動可能とされることを特徴とする請求項５に記載のバジネット。
【請求項９】
前記第２の区分が、前記底部支持部材に取り付け可能な大きさとされ、
前記第１の区分が、前記第２の区分の下方に格納されることを特徴とする請求項８に記載のバジネット。
【請求項１０】
前記第１の区分が、前記第２の区分から取り外し可能とされ、
前記第１の区分と前記第２の区分とが、舌状部と溝部とから成る接続手段によって連結されていることを特徴とする請求項９に記載のバジネット。
【請求項１１】
前記第２の区分が、複数の区分から形成されていることを特徴とする請求項１０に記載のバジネット。
【発明の詳細な説明】
【技術分野】
【０００１】
［関連出願の相互参照］
本出願は、特許文献１、特許文献２、及び特許文献３の優先権を主張するものであり、これら３つの特許仮出願の内容は参照により本明細書に組み込まれている。
【０００２】
本発明は、一般には子供用プレイヤード囲壁に関し、より詳細には、電動化されうる揺動運動でプレイヤードフレームに対して移動可能なバジネット取付け部を有するプレイヤード、ならびにバジネット及びプレイヤードに嵌合する大きさに調節可能なプレイヤード底部板に関する。
【背景技術】
【０００３】
プレイヤードは、子供が寝たり遊んだりするための安全な環境を含み、提供するように使用される。典型的には、プレイヤードは折り畳み式で、収容又は運搬が容易である。現在、プレイヤードは、子供をプレイヤード内に保持する囲壁を提供するためのフレームの周りを包む織物本体を有する、組み立てられた金属及びプラスチック構成要素の組合せからなるフレームで製造される。プレイヤードは、プレイヤードフレームによって支持されうるバジネット組立体を装備することができて、プレイヤードの底部床面より高い平面で、囲まれた睡眠用領域を確立して、介護人がプレイヤードの床に接近するためにかがむ必要なく子供に容易に接近することを提供する。
【０００４】
ＡＳＴＭ（以前の米国材料試験協会：Ａｍｅｒｉｃａｎ  Ｓｏｃｉｅｔｙ  ｆｏｒ  Ｔｅｓｔｉｎｇ  ａｎｄ  Ｍａｔｅｒｉａｌｓ）は、子供がその中に置かれるプレイヤード、バジネット、ベビーベッドなどの構造物の製造に対する基準を採用した。この種の基準の１つ（Ｆ  ２０８８−０８６．６）が、最も不利な傾斜位置での揺りかご揺動内に置かれた子供のための支持面が水平から５度より大きいベッド面を製造することはできないということを規定している。したがって、揺動運動がうつぶせの位置の子供に所望されるとしても、ＡＳＴＭ期待値を遵守するために、面が動いているとき子供が休む面は水平から５度以内に維持されなければならない。
【０００５】
したがって、うつぶせの子供用の５度のＡＳＴＭ基準を超えずにバジネットの揺動運動を可能にするバジネット構造を提供することが望ましいであろう。プレイヤードに取付け可能なバジネットの使用が、介護人が容易に接近できる幼児向け睡眠用領域を提供することによってプレイヤードの有用性を向上させる。
【０００６】
プレイヤード構造では、囲壁の床は、プレイヤードの中に置かれた子供用の快適な支持を提供する、剛体構造部材の頂部に配置された、通常は発泡プラスチック又はパッド入り底部板である。バジネットがプレイヤードの中に配置され、プレイヤードフレームによって垂設されるとき、バジネットの底部とプレイヤードの底部板との間の空間が第２の子供を配置するのは不十分である。したがって、バジネット構造は、バジネットがプレイヤードフレーム構造上に設置されるとき、プレイヤードの底部板上に子供を配置することを阻止するように構成されることが望ましいであろう。
【０００７】
プレイヤードの底部板がバジネット構造の底部面として利用されるように構成されることもまた望ましいであろう。底部板が両構造で使用することができるためには、バジネットの底部面の面領域がプレイヤードの面領域よりも小さいので、底部板の大きさが調節される必要がある。
【０００８】
特許文献４は、ベビーベッドが水平の枢動軸から垂設されて揺動運動で揺れる、子供用ベビーベッド向け旋回機構を開示している。特許文献５に示されたベビーベッドの揺れ装置もまた、ベビーベッド又はバジネットに揺動運動を提供している。特許文献６は、底部面から上方に延在する少なくとも２つの側面を有するベビーサークル（ｐｌａｙｅｒ）又は小児用ベッド（ｃｏｔ）に揺動運動のために取り付けられたハンモックを教示している。ハンモック機構は、分離可能にベビーサークルのフレームから出る複数のひもによって支持されている。ひもは、ハンモックに起こり得るハンモックの揺動運動を可能にするようにフレームに配置可能である。
【０００９】
特許文献７は、ベビーベッド又は子供のベッドが、揺動運動がベビーベッド又はベッドに起こり得るようにその上に取付け可能な揺れ構造を開示している。揺れ構造は、取り付けられたベビーベッド又はベッドを略水平方向に保つ揺動運動を提供するために垂設されたフレームを利用する。揺動可能なベビーベッド構造は、特許文献８に開示されており、ベビーベッド構造の４本の足が、揺れ支持部が配置される床に対するベビーベッド全体の動きを可能にする揺れ支持部上に配置されている。類似のベビーベッド揺れ装置が、特許文献９の中で説明されている。
【００１０】
バジネットが、好ましくはバジネットに連結された電動式旋回機構によってプレイヤードのフレームに対して優しく揺れることができるように、プレイヤードのフレームからバジネットを垂設するための装置を提供することが望ましいであろう。
【００１１】
プレイヤードの底部面上の利用から、プレイヤードから垂設されたバジネットの小さい方の底部面の使用に転用可能である底部板構造を提供することもまた望ましいであろう。
【特許文献１】米国特許仮出願第６１／００１４２８号
【特許文献２】米国特許仮出願第６１／０６２３５５号
【特許文献３】米国特許仮出願第６１／１２５７３３号
【特許文献４】米国特許第５０４８１３５号明細書
【特許文献５】米国特許第３７６９６４１号明細書
【特許文献６】米国特許第５２７４８６３号明細書
【特許文献７】米国特許第４６１５０５９号明細書
【特許文献８】米国特許第５７４２９６０号明細書
【特許文献９】米国特許第４２５８４４６号明細書
【発明の開示】
【発明が解決しようとする課題】
【００１２】
本発明の目的は、プレイヤードフレームに対して揺動運動で動くように作動可能な形でプレイヤードのフレームから選択的に垂設可能なバジネット構造を提供することである。
【００１３】
本発明の別の目的は、プレイヤードフレームに対するバジネットの揺動運動に影響を与える電動式旋回機構を組み込むバジネットバジネット構造を提供することである。
【課題を解決するための手段】
【００１４】
バジネットがプレイヤードフレームに連結された４つの部材から垂設されていることが本発明の特徴である。
【００１５】
本発明の利点は、子供がうつぶせの位置でバジネット内に配置されるとき、バジネットを４点で垂設することにより、バジネットが水平に平行な５度の角度内に常にとどまる動きの中で揺れることを可能にすることである。
【００１６】
本発明の別の特徴は、支持部材が、揺動運動のためにバジネットを支持するプレイヤードの上部フレーム部材上に分離可能に取り付けることができる連結具に連結されていることである。
【００１７】
本発明の別の利点は、分離可能な連結具がバジネットをプレイヤードに対して設置及び除去するために容易に取付け又は除去されうることである。
【００１８】
本発明の別の特徴は、プレイヤードフレーム上に取り付けられたバジネットに揺動運動を起すためのモータを収容する電動式連結具取付け台が、バジネットから分離され、及びプレイヤードフレーム上に保持されることである。
【００１９】
本発明の別の利点は、分離された電動式連結具取付け台が、プレイヤード内に置かれた幼児のために音楽を演奏し、又はその幼児に対して別の聴覚機能を提供するために利用できることである。
【００２０】
本発明の別の特徴は、電動式連結具取付け台以外の分離可能な連結具取付け台に連結された垂設部材が、可撓性部材であることである。
【００２１】
本発明の別の利点は、バジネットの揺れ垂設に付随する摩擦が可撓性垂設部材の使用により低減されることである。
【００２２】
本発明の別の特徴は、電動式連結具取付け台に連結された支持部材が、プレイヤードフレームに取り付けられたバジネットに揺動運動を起す剛体性部材であることである。
【００２３】
本発明の別の利点は、剛体の支持部材が電動式連結具取付け台から除去できることである。
【００２４】
本発明の別の目的は、プレイヤードフレームに取り付けられたバジネット内に利用できる小さい方のサイズに再構成されうる、プレイヤード向け底部板を提供することである。
【００２５】
本発明の別の特徴は、底部板が複数の区分で形成されていることである。
【００２６】
本発明の別の特徴は、少なくとも１つの区分が他の区分から除去可能であることである。
【００２７】
本発明の別の利点は、底部板区分の１つが残りの底部板区分の下に折り畳むことができ、バジネットの構造内部の残りの底部板区分の下に収容することができることである。
【００２８】
本発明の別の特徴は、除去可能な底部板区分が、除去可能な底部板区分の分離を可能にする舌状部と溝部との接続によって残りの底部板区分に連結可能であることである。
【００２９】
本発明の別の利点は、プレイヤードの底部支持面に使用される同じ底部板が、再構成の後にバジネットの底部支持面用に使用されることである。
【００３０】
本発明の別の利点は、バジネットが利用のためにプレイヤード上に設置されるとき、プレイヤードが、子供がその上に適切に置かれる底部支持面を有さないことである。
【００３１】
本発明の別の目的は、電動式揺動運動のためのプレイヤードフレーム上に分離可能に支持されることが可能であり、構造に耐久性があり、製造するのが安価で、維持の手間がかからず、組み立てが容易で、使用が簡単で効果的であるバジネットを提供することである。
【００３２】
これらの、及び他の目的、特徴ならびに利点は、プレイヤードフレームに対する揺動運動を可能にするように、支持のためのプレイヤードフレーム上に取り付けるバジネットを提供することにより本発明により達成される。バジネットは、３つの可撓性支持部材及びバジネットの揺動運動を駆動する電動式連結具取付け台内部に収容されたモータに作動可能に接続された１つの剛体の支持部材によって、プレイヤードフレームの上部フレーム部材の上を摺動する４つの分離可能な連結具取付け台から垂設されている。バジネット内に起こる運動は、４つの支持部材によって制御されて、揺動運動の間中、バジネットの底部面を水平方向に保つ。プレイヤードの底部板は、バジネットに嵌合するように再構成されうる区分で形成されている。端部区分は、残りの区分の下に折り畳むことができ、又は別法として、除去されてバジネットの構造用再構成に影響を与える。
【００３３】
本発明の利点は、特に添付の図面に関連して読まれるとき、以下の本発明の詳細な開示を考察すると明らかである。
【発明を実施するための最良の形態】
【００３４】
次に、図１から図４を参照すると、プレイヤード１０の上部フレーム部材１１上に取り付けられたバジネット２０を有し、本発明の原理を組み込んでいるプレイヤード１０が最もよく分かる。プレイヤード１０は、織物本体１５によって被覆されたフレーム構造を組み込む。フレーム構造は、プレイヤード１０の頂部の周りの略矩形を画定する上部フレーム部材１１を含んで、プレイヤード１０の上部境界部材、上部フレーム部材１１の下に位置し、プレイヤード１０の床部材１９に略矩形の支持をもたらす下部フレーム部材１２、ならびに上部フレーム部材１１及び下部フレーム部材１２を組み込み、プレイヤード１０のコーナを画定する垂直のフレーム部材１３を確立する。垂直のフレーム部材１３は、垂直のフレーム部材１３に取り付けられ、プレイヤード１０が配置される床などの支持面に係合するように使用される各足部材１４内で終了する。
【００３５】
プレイヤード１０の好ましい実施形態は、下部フレーム部材１２から上方に延在する垂直に延びるフレーム部材１３によって支持される上部フレーム部材１１によって、プレイヤード１０の上部境界部材を画定するが、当業者は、プレイヤード１０のフレーム構成が実質的に異なることも可能であることを理解するであろう。例えば、プレイヤード１０の上部境界部材は、垂直に延在するフレーム部材又は柱の間にピンと張られた柔らかな布、すなわち織物から形成されてもよい。プレイヤード１０のフレーム構成は、プレイヤード１０のコーナを形成する垂直のフレーム部材又は柱を有さないこともある。垂直なフレーム部材１３はプレイヤード１０の側面に沿って斜め方向に向き、柔らかな布が上部フレーム部材１１と下部フレーム部材１２との間に延在するプレイヤード１０の垂直なコーナを画定することができる。当業者は、すべてのプレイヤードの構成でプレイヤード１０が、上部境界部材、底部部材、及びフレーム構造によって支持されている上部境界部材と底部部材との間に延在する側面を有することを理解するであろう。
【００３６】
織物本体１５は、プレイヤード１０の周縁部の周りの囲壁を形成する。織物本体１５は、上部穴と共に形成されることが好ましく、その穴を通って上部フレーム部材１１は、織物本体１５の上部部分を支持するように配置される。次いで、織物本体１５は、垂直なフレーム部材１３及び下部フレーム部材１２の周りにピンと引っ張られ、フレーム構造に固定される。織物本体１５は、略垂直な網目部分１６を含むことが好ましく、プレイヤード１０の床部材１９上に置かれた子供を見ることが容易になる。織物本体１５は、プレイヤード１０の底部に亘りピンと張られた織物パネル１７を含むこともできて、下部フレーム部材１２と除去可能な床部材１９との間に位置することができるようになっている。
【００３７】
図１から図４に最もよく分かるように、バジネット２０は、プレイヤード１０に類似しているが、プレイヤード１０よりも小さいフレーム構造を有する。バジネット２０のフレーム構造は、バジネット２０の頂部の周りの略矩形形状を画定する上部支持チューブ２１を含む。バジネット２０の織物本体２５は、織物本体２５の側面から延在し、上部支持チューブ２１から支持されている強化織物パネル２２と共に形成される。好ましくは、略垂直なコーナ部品２３が、上部支持チューブ２１から下方に依存して、バジネット２０の構造に追加の支持及び剛性をもたらし、バジネット２０のコーナを画定する。底部支持、特に底部支持面２４は、以下にさらに詳しく説明されるように、プレイヤード１０の床部材１９から底部板６０を再構成することができ、強化織物パネル１７上にあって、幼児が置かれる底部支持面２４を確立する。
バジネット２０が、バジネット２０が上部境界部材に対して振り子振動することができ、一方で、バジネット２０の振り子振動の間中にバジネットの底部支持面２４を略水平方向に保つことができる支持部材によって上部境界部材から分離可能に支持されている。
【００３８】
本発明の原理により、バジネット２０は、プレイヤード１０の上部フレーム部材１１上に取り付けられている４つの分離可能な連結具取付け台３０及び４０から支持されている。連結具取付け台３０の１つが駆動機構５０を組み込んで、以下により詳細に説明するように、バジネット２０の揺動運動に影響を及ぼす。電動式連結具取付け台３０が、バジネット２０に簡単な揺動運動をもたらすように構成可能である。揺動運動は、電動式連結具取付け台３０及び対応するコーナ部品２３内の駆動機構５０を相互連結する支持部材の１つ、すなわち剛体の駆動部材３５によってバジネット２０のフレーム構造に伝達される。バジネット２０の残りの３つのコーナ部品２３は、他の支持部材、すなわち可撓性支持部材４５によって、対応する連結具取付け台４０に連結されて、剛体の駆動部材３５及び３つの可撓性支持部材４５を利用する４つの横支持連結を確立する。それにより、駆動機構５０がバジネット２０のフレーム構造を振り子振動させるとき、底部支持面２４は、端部から端部へ平行に移動し、バジネット２０の揺動運動の間中、平行な方向を維持する。
【００３９】
図１から図６及び図８に最もよく分かるように、各連結具取付け台３０及び４０は、チャネル３３及び４３を画定するＵ字形筐体３２及び４２と共に形成される。チャネル３３及び４３は、プレイヤード１０の上部フレーム部材１１の頂部の上に嵌合する大きさになっている。当業者は、電動式連結具取付け台３０の全体の大きさは駆動機構５０を収容するための空間的要求により、簡単な連結具取付け台４０よりも実質的に大きいということに気づくであろう。やはり、Ｕ字形筐体３２及び４２の全体的な構成は、本質的に同一である。チャネル３３及び４３は、上部フレーム部材１１の頂部の上を摺動するように設計されており、上部フレーム部材１１をチャネル３３及び４３の内部に保持するように十分な深さを有する。したがって、連結具取付け台３０及び４０は、プレイヤード１０のフレーム構造に容易に取り付けられ、取り外される。
【００４０】
可撓性支持部材４５のそれぞれは、対応するＵ字形筐体４２の１つに取り付けられ、そこから下方に突出して、対応する取付け部材、この実施形態では取付けフランジ４４に、図５及び図８に最もよく分かるように、対応するコーナ部品２３の底部上に連結する。同様に、図６及び図７に示すように、剛体の駆動部材３５は、対応するコーナ部品２３上の取付けフランジ４４に連結し、駆動機構５０から延在して、取り付けられたコーナ部品２３を通ってバジネット２０に振り子振動運動を伝達する。３つの可撓性支持部材４５は等しい長さ及び剛体の駆動部材３５に対応する長さを有し、バジネット２０の底部支持面２４は、うつぶせの子供の適切な位置に応じて水平方向に向く。さらに、剛体の駆動部材３５及び可撓性支持部材４５上に下方に引っ張る、バジネット２０のフレーム構造の重さが、連結具取付け台３０及び４０をプレイヤード１０の上部フレーム部材１１上に保つことを助ける。
【００４１】
次に、図７の駆動機構５０の概略的表示を参照すると、当業者は、駆動機構５０がウォーム歯車５２を回転させるために電池により供給される直流電流により、又は交流アダプタ（図示せず）により供給される直流電流により電気的に動力を供給される駆動モータ５１を組み込むことができることを理解するであろう。筐体３２上に回転可能に支持される駆動歯車５３は、ウォーム歯車５２に係合して、それと共に駆動歯車５３の軸の周りを回転する。端部を有する接続バー５４は、駆動歯車５３の軸から偏心的に駆動歯車５３にピンで固定される。接続バー５４の遠位端は、筐体３２上に枢動可能に取り付けられた振り子部材５５に取り付けられている。それによって、接続バー５４の固定された端部が回転駆動歯車の軸の周りを回転するとき、接続バー５４の遠位端が直線状に前後に揺動運動し、振り子部材５５の枢動運動を起す。剛体の駆動部材３５は、振り子部材５５の外側に形成された取付け穴５６の中に摺動することによって、振り子部材５５に分離可能に取り付けられて、揺動運動をバジネット２０のフレーム構造に伝達する。
【００４２】
好ましくは、駆動機構５０は、図７に概略的に示すように電子制御機構５９にも接続されて、駆動モータ５１の作動速度、したがって、バジネット２０の振り子振動の速度を制御する。駆動機構５０の電子制御機構５９は、とりわけ、音楽を演奏することができるメモリを含むことにより、複数の他の機能を組み込むこともできる。したがって、電動式連結具取付け台３０は、振り子部材５５上の取付け穴５６から剛体の駆動部材３５を脱係合することによってバジネット２０から分離することができて、電動式連結具取付け台３０をプレイヤード１０の対応する上部フレーム部材１１上に保持することができて、図９に示すように、バジネット２０がプレイヤード１０から除去された後に、床部材１９上に置かれた幼児用の音楽源を供給する。
【００４３】
図１及び図１１から図１２に示すように、底部板６０は取扱う際に多少可撓性があるように分割された形で形成されて、バジネット２０内に嵌合して底部支持面２４を形成することができるように底部板６０が小さい方の大きさに再構成されうる。図１２に示す好ましい実施形態では、端部区分６２（第１の区分とも言及される）は、端部区分６２を残りの区分６１（集合的に第２の区分と言及される）に連結する織物蝶番の周りに折り畳み可能であり、底部板６０の大きさを、床１９を形成するプレイヤード１０の底部に嵌合する４区分サイズから、バジネット２０の底部支持面２４に対応する３区分サイズに再構成することに影響を与える。この好ましい実施形態では、端部区分６２は残りの区分６１の下に完全に折り畳まれ、好ましくはバジネット２０の織物本体２５内の特別に形成されたポケット６６の中にしまい込まれて、その結果、残りの区分６１は、幼児が休む平らで水平な底部支持面２４を形成する。
【００４４】
別の実施形態では、１つ又は複数の個々の区分６２が他方の残りの区分６１から分離可能であって、底部板６０の全体的大きさを減少させる。好ましくは、図１０に示すように、３つの区分６１ａから６１ｃは、隣接する区分６１ａから６１ｃに対して区分６１ａから６１ｃの１つがいくらか曲がることを可能にするが、区分６１ａから６１ｃが互いに分離することができない単一パッケージに一体に連結されている。しかし、分離可能な区分６２は、連結具６３によって他の区分６１ａから６１ｃに分離可能に連結され、その連結具は舌状部６４が溝構造６５の側面端部に差し込まれ、分離可能な区分６２が残りの区分６１ａから６１ｃに整列するまで溝構造６５に沿って摺動することができる形成された溝構造６５に対合する形成された舌状部６４を有する舌状部と溝部とから成る接続手段の形態であることが好ましい。この舌状部と溝部とから成る接続手段が、残りの区分６１ａから６１ｃから分離可能な区分６２がいくらか曲がる可撓性を可能にする。当業者は、すべての区分６１ａ、６１ｂ、６１ｃ及び６２が隣接する区分に舌状部と溝部とから成る組立体によって連結可能であり、その結果、各区分は他の区分から分離することができる。
【００４５】
図２に示すように、底部板６０は、プレイヤード１０の下部フレーム部材１２によって支持することができて、一体に連結されたすべての区分６１及び６２で床部材１９を形成して、完全な床板６０を形成する。バジネット２０が上部フレーム部材１１上に取り付けられるとき、バジネット２０の底部支持面２４は下部フレーム部材１２から除去された底部板６０によって確立され、バジネット２０上に嵌合するように再構成されうる。この再構成を完成するために、端部区分６２は下に折り畳まれ、又は残りの区分６１から分離されて、バジネット２０内の強化織物パネル２２上に嵌合する形で底部板６０の全体の大きさを減少させる。好ましくは、端部区分６２は、端部区分６２を受け収容する、バジネット底部面２４の下に形成されたポケットの中など、再構成された底部板６０の下に収容可能である。この構成により、バジネット２０の底部面２４を、うつぶせの幼児を適切に配置するための水平方向の平面に置く。プレイヤード１０の床部材１９の底部板６０に戻ると、底部板６０の再構成は、バジネット２０から除去された後、残りの区分６１に対して端部区分６２を広げること又は再連結することによって完全な大きさに戻り、その結果、完全な大きさの底部板６０がプレイヤード１０の底部内に再配置されて床部材１９として働き、したがって、バジネット２０は使用できなくなる。
【００４６】
本発明の本質を説明するために記載され、図示された詳細、材料、方法及び部品の構成の変更が、本発明の原理及び範囲内で、この開示を読んだ当業者に生じ、当業者によってなされるであろう。上述の記載は本発明の好ましい実施形態を示すが、その記載に基づく概念は、本発明の範囲から逸脱せずに他の実施形態の中で使用可能である。
【図面の簡単な説明】
【００４７】
【図１】本発明の原理による上部フレーム部材上に取り付けられたバジネットを有するプレイヤードの斜視図である。
【図２】底部板がプレイヤード及びバジネットの両方の上に示され、柔らかい織物を含む織物本体が見やすいように除去された、本発明の原理による垂設されたバジネットを有するプレイヤードのフレーム部材の側面立面図である。
【図３】図２に示すプレイヤード及びバジネット用フレーム構成要素の端面立面図である。
【図４】図２に示すフレーム構成要素の斜視図である。
【図５】プレイヤードフレームからバジネットを垂設するための可撓性支持部材を利用する分離可能な連結具取付け台を示す、取り付けられたバジネットを有するプレイヤードの一部の拡大斜視図である。
【図６】分離可能な電動式連結具取付け台及びそれに連結された剛体の支持部材を示す、取り付けられたバジネットを有するプレイヤードの一部の拡大斜視図である。
【図７】駆動構成要素が見えるようにカバーの一部が除去された電動式連結具の拡大斜視詳細図である。
【図８】図２に示すように、その上に取付け可能なバジネットを有するプレイヤードフレームの分解図である。
【図９】図１のプレイヤードに似たプレイヤードであるが、プレイヤードの底部面上に置かれた子供に対して聴覚機能を提供する電動式連結具取付け台を除いて除去されたバジネットの構造を示す斜視図である。
【図１０】除去されうる区分が部分的に残りの区分から分離された、本発明の原理による、区分で形成されたプレイヤードの底部板の斜視図である。
【図１１】底部板の除去可能な区分を残りの区分に連結するように作動可能な舌状部と溝部との接続機構の拡大詳細斜視図である。
【図１２】端部区分がバジネットの収容ポケット内に配置するために折り畳み可能な、底部板が区分で形成された別の実施形態の斜視図である。
【符号の説明】
【００４８】
１０  プレイヤード
１１  上部フレーム部材
１２  下部フレーム部材
１３  垂直フレーム部材
１４  足部材
１５  織物本体
１６  網目部分
１７  織物パネル
１９  床部材
２０  バジネット
２１  上部支持チューブ
２２  強化織物パネル
２３  コーナ部品
２４  底部支持面
２５  織物本体
３０  連結具取付け台
３２  Ｕ字形筐体
３３  チャネル
３５  剛体の駆動部材
４０  連結具取付け台
４２  Ｕ字形筐体
４３  チャネル
４４  取付けフランジ
４５  可撓性支持部材
５０  駆動機構
５１  駆動モータ
５２  ウォーム歯車
５３  駆動歯車
５４  接続バー
５５  振り子部材
５６  取付け穴
５９  電子制御機構
６０  底部板
６１  区分（第２の区分：６１ａ、６１ｂ、６１ｃ）
６２  端部区分（第１の区分）
６３  連結具
６４  舌状部（凸部）
６５  溝部（溝構造）
６６  ポケット
【図１】
0005408962.tif 000002
【図２】
0005408962.tif 000003
【図３】
0005408962.tif 000004
【図４】
0005408962.tif 000005
【図５】
0005408962.tif 000006
【図６】
0005408962.tif 000007
【図７】
0005408962.tif 000008
【図８】
0005408962.tif 000009
【図９】
0005408962.tif 000010
【図１０】
0005408962.tif 000011
【図１１】
0005408962.tif 000012
【図１２】
0005408962.tif 000013